(57)【要約】【課題】相性要素コード相互の相関性を診断可能とすることにより、当該相性要素コード及びその相関性を用いた種々の情報処理・サービスを提供する。【解決手段】無線タグ回路素子Ｔoとの間で無線通信により情報の送受信を行うための２つの外部アンテナ９ａ，９ｂ及び高周波回路２１を有するとともに、複数の無線タグ回路素子Ｔoにそれぞれ記憶された当該無線タグ回路素子Ｔoの識別情報であるタグＩＤ及びこれに対応する相性要素コードをステップＳ５、ステップＳ５０で取得し、この取得した複数の無線タグ回路素子Ｔoそれぞれに係る相性要素コード相互の照合を行い、それら複数の相性要素コードの相関性をステップＳ５０で診断し、この診断結果を同じステップＳ５０でパネル部８ａに表示させる。【選択図】図２
2008052614.tif 000002
【特許請求の範囲】
【請求項１】
情報を記憶するＩＣ回路部とこのＩＣ回路部に接続されたアンテナとを備えた無線タグ回路素子との間で、無線通信により情報の送受信を行うための送受信手段と、
複数の前記無線タグ回路素子の前記ＩＣ回路部にそれぞれ記憶された、当該無線タグ回路素子の識別情報及びこれに対応する被診断データを、取得する情報取得手段と、
この情報取得手段で取得した前記複数の無線タグ回路素子それぞれに係る前記被診断データ相互の照合を行い、それら複数の被診断データの相関性を診断する診断手段と、
この診断手段における診断結果を表示手段で表示するための表示制御信号を生成する表示制御信号生成手段
とを有することを特徴とする無線タグ情報読み取り装置。
【請求項２】
請求項１記載の無線タグ情報読み取り装置において、
前記送受信手段は、
人物に関連づけられた前記無線タグ回路素子との間で情報の送受信を行い、
前記情報取得手段は、  
前記被診断データとして、前記人物に係わる人物情報を取得し、
前記診断手段は、
複数の前記人物情報の照合を行い、それら複数の人物情報の相性を診断する
ことを特徴とする無線タグ情報読み取り装置。
【請求項３】
請求項２記載の無線タグ情報読み取り装置において、
前記送受信手段は、３人以上の人物にそれぞれ関連づけられた前記無線タグ回路素子との間で情報の送受信を行い、
前記情報取得手段は、
前記３人以上の人物それぞれに係わる前記人物情報を取得し、
前記診断手段は、
それら３人以上の人物それぞれに係わる前記人物情報相互の相性を診断する
ことを特徴とする無線タグ情報読み取り装置。
【請求項４】
請求項２又は３記載の無線タグ情報読み取り装置において、
前記送受信手段は、
前記人物の画像を備えた画像シールに設けられた前記無線タグ回路素子と前記情報の送受信を行う
ことを特徴とする無線タグ情報読み取り装置。
【請求項５】
請求項４記載の無線タグ情報読み取り装置において、
前記人物の外観を撮影する撮影手段と、
前記撮影手段で撮影した前記人物の画像を形成し前記画像シールを作成するための画像形成手段と
を有することを特徴とする無線タグ情報読み取り装置。
【請求項６】
請求項５記載の無線タグ情報読み取り装置において、
前記作成された前記画像シールの当該作成後の経過日数情報、入金情報、前記診断手段の診断利用履歴情報のうち少なくともいずれか１つに応じて、前記診断手段による診断を制限する制限制御手段を有することを特徴とする無線タグ情報読み取り装置。
【請求項７】
請求項６記載の無線タグ情報読み取り装置において、
前記制限制御手段は、
前記複数の人物情報に係わる当該複数の人物の各構成人員に係わる、前記経過日数情報、又は前記入金情報、若しくは前記診断利用履歴情報に応じて、前記診断制限を実行する
ことを特徴とする無線タグ情報読み取り装置。
【請求項８】
請求項２乃至７のいずれか１項記載の無線タグ情報読み取り装置において、
前記診断手段は、
複数の人物情報相互の相性情報を格納したデータベースにアクセスし、前記照合対象の複数の人物情報に対応した前記相性情報を取得し、その取得した相性情報に基づき前記診断を行うことを特徴とする無線タグ情報読み取り装置。
【請求項９】
請求項２乃至８のいずれか１項記載の無線タグ情報読み取り装置において、
前記情報取得手段は、
前記人物情報として、前記人物の性別情報、血液型情報、誕生日情報、当該誕生日に係わる星座情報又は干支情報のうち少なくとも１つの情報を取得し、
前記診断手段は、
前記複数の人物それぞれに係わる前記少なくとも１つの情報相互の相性を診断する
ことを特徴とする無線タグ情報読み取り装置。
【請求項１０】
請求項９記載の無線タグ情報読み取り装置において、
前記情報取得手段で取得した前記少なくとも１つの情報に対応した、第１広告情報を生成する第１広告情報生成手段を有し、
前記表示制御信号生成手段は、
前記第１広告情報生成手段で生成した前記第１広告情報を、前記診断手段における診断中に前記表示手段で表示するための前記表示制御信号を生成する
ことを特徴とする無線タグ情報読み取り装置。
【請求項１１】
請求項９又は１０記載の無線タグ情報読み取り装置において、
前記診断手段による診断結果に対応した第２広告情報を生成する第２広告情報生成手段を有し、
前記表示制御信号生成手段は、
前記第２広告情報生成手段で生成した前記第２広告情報を、前記表示手段で表示するための前記表示制御信号を生成する
ことを特徴とする無線タグ情報読み取り装置。
【請求項１２】
請求項２乃至１１のいずれか１項記載の無線タグ情報読み取り装置において、
前記表示制御信号生成手段は、
前記診断手段における相性診断結果を数値化して表示するための前記表示制御信号を生成することを特徴とする
無線タグ情報読み取り装置。
【請求項１３】
請求項２乃至１２のいずれか１項記載の無線タグ情報読み取り装置において、
前記診断手段による相性診断結果を印字するための印字制御信号を生成する印字制御信号生成手段
を有することを特徴とする無線タグ情報読み取り装置。
【発明の詳細な説明】
【技術分野】
【０００１】
本発明は、無線タグより情報の読み取りを行う無線タグ情報読み取り装置に関する。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において既に実用化されている。
【０００４】
無線タグのこのような性質を利用し、利用者に情報を提供する情報提供システムに応用したものとして、例えば特許文献１に記載のものがある。この従来技術では、利用者（例えば電車の吊革につかまった乗客）の立ち位置の上方に、下方への指向性をもつアンテナを備えた無線タグ情報読み取り装置（リーダ）を設け、各リーダは、対応する利用者の所持する無線タグより当該利用者に関する情報（個人情報）を読み取る。そして、この読み取った個人情報に応じて情報処理装置がそれに対応した表示信号を出力し、当該利用者の近傍（乗客の把持している吊革）に設けた表示手段に、当該利用者個人向けの情報を表示させるようになっている。
【０００５】
一方、従来、例えばゲームセンター、ボウリング場、遊園地等の娯楽施設等において、操作者の写真を撮影し、その画像を背景画像や落書き等と合成して画像シールを作成する画像シール作成装置が既に知られており、広く利用されている（例えば、特許文献２参照）。
【０００６】
【特許文献１】特開２００３−３２３４４４号公報
【特許文献２】特開２００５−２１７８８１号公報
【発明の開示】
【発明が解決しようとする課題】
【０００７】
特許文献２記載の従来技術による画像シール作成装置は、特に女子学生等に人気があり、複数の友人に自己の画像を備えた画像シールを配布したり、友人同士でお互いの画像シールを見せ合ったり交換したりして、ゲーム的・娯楽的要素として楽しまれている。特に、画像シールは、単独ではなく複数人が一緒になって撮影するのが通常であることから、複数の人物同士の人脈や交友関係、さらには仲の良さの程度を表すものとしても広く認知されている。
【０００８】
一方、特許文献１記載の従来技術による情報提供システムでは、単独の利用者個人向けの情報を迅速かつ確実に表示させることが可能であるものの、複数人物のグループを対象としたものではない。複数人物のグループを対象とし、さらに上記画像シール普及の背景にある、交友関係や仲の良さ（相性）の程度といった人物そのものに直接関わるデータを提供できかつ診断可能とすれば、そのデータを種々の情報処理・サービス提供等に活用できる可能性が広がり、非常に便利である。さらに、複数の人物の相性（性格的な相関関係）にも限られず、その他複数の診断対象データ（被診断データ）の相関性を診断可能とした場合も同様である。
【０００９】
本発明の目的は、複数の被診断データの相関性を診断可能とすることで、種々の情報処理・サービス提供等に活用して利便性を向上できる無線タグ情報読み取り装置を提供することにある。
【課題を解決するための手段】
【００１０】
上記目的を達成するために、第１の発明は、情報を記憶するＩＣ回路部とこのＩＣ回路部に接続されたアンテナとを備えた無線タグ回路素子との間で、無線通信により情報の送受信を行うための送受信手段と、複数の前記無線タグ回路素子の前記ＩＣ回路部にそれぞれ記憶された、当該無線タグ回路素子の識別情報及びこれに対応する被診断データを、取得する情報取得手段と、この情報取得手段で取得した前記複数の無線タグ回路素子それぞれに係る前記被診断データ相互の照合を行い、それら複数の被診断データの相関性を診断する診断手段と、この診断手段における診断結果を表示手段で表示するための表示制御信号を生成する表示制御信号生成手段とを有することを特徴とする。
【００１１】
本願第１発明においては、情報取得手段で複数の無線タグ回路素子より識別情報と被診断データとが取得されると、診断手段で、取得された複数の被診断データ相互の照合が行われて相関性が診断され、表示制御信号生成手段で上記診断結果に対応した表示制御信号が生成され、対応する表示が表示手段で行われる。
このように、複数の無線タグ回路素子に被診断データを記憶させておき、それら被診断データ相互の相関性を診断可能とすることにより、当該被診断データ及びその相関性を用いた種々の情報処理・サービス提供等の活用の可能性が広がるので、装置利用者側・装置設置者側双方にとって利便性を向上することができる。
【００１２】
第２発明は、上記第１発明において、前記送受信手段は、人物に関連づけられた前記無線タグ回路素子との間で情報の送受信を行い、前記情報取得手段は、前記被診断データとして、前記人物に係わる人物情報を取得し、前記診断手段は、複数の前記人物情報の照合を行い、それら複数の人物情報の相性を診断することを特徴とする。
【００１３】
情報取得手段で複数の無線タグ回路素子より人物情報が取得されると、診断手段で、取得された複数の人物情報相互の照合が行われて相性が診断され、表示制御信号生成手段で上記診断結果に対応した表示制御信号が生成され、対応する表示（相性の良否等）が表示手段で行われる。
【００１４】
このように、複数の無線タグ回路素子に人物情報を記憶させておき、それら人物情報相互の相性を診断可能とすることにより、当該人物情報及びその相性を用いた種々の情報処理・サービス提供等の活用の可能性が広がるので、装置利用者側・装置設置者側双方にとって利便性を向上することができる。
【００１５】
第３発明は、上記第２発明において、前記送受信手段は、３人以上の人物にそれぞれ関連づけられた前記無線タグ回路素子との間で情報の送受信を行い、前記情報取得手段は、前記３人以上の人物それぞれに係わる前記人物情報を取得し、前記診断手段は、それら３人以上の人物それぞれに係わる前記人物情報相互の相性を診断することを特徴とする。
【００１６】
これにより、３人以上の人物に係わる人物情報相互の相性を診断することができるので、さらに装置利用者側・装置設置者側双方にとって利便性を向上することができる。
【００１７】
第４発明は、上記第２又は第３発明において、前記送受信手段は、前記人物の画像を備えた画像シールに設けられた前記無線タグ回路素子と前記情報の送受信を行うことを特徴とする。
【００１８】
これにより、複数の人物がそれぞれ所持する画像シールを提示することで、対応する人物情報が各画像シールの無線タグ回路素子から情報取得手段で取得され、それら複数の人物の人物情報相互の相性を診断手段で診断することができる。
【００１９】
第５発明は、上記第４発明において、前記人物の外観を撮影する撮影手段と、前記撮影手段で撮影した前記人物の画像を形成し前記画像シールを作成するための画像形成手段とを有することを特徴とする。
【００２０】
これにより、人物（操作者）の撮影画像を備えた画像シールを作成することができるとともに、その作成した画像シールの無線タグ回路素子に記憶された人物情報を用いて、診断を行うことが可能となる。
【００２１】
第６発明は、上記第５発明において、前記作成された前記画像シールの当該作成後の経過日数情報、入金情報、前記診断手段の診断利用履歴情報のうち少なくともいずれか１つに応じて、前記診断手段による診断を制限する制限制御手段を有することを特徴とする。
【００２２】
前回画像シール作成後の経過日数や入金情報や診断利用履歴に応じて制限制御手段で（今後の）診断を制限する構成とすることにより、例えば所定の有効期間を過ぎると診断ができないようにしたり、所定の入金を行ったときに限り診断を許可するようにしたり、診断利用履歴が所定回数や所定頻度に達すると診断ができないようにしたりする等が可能となる。
【００２３】
第７発明は、上記第６発明において、前記制限制御手段は、前記複数の人物情報に係わる当該複数の人物の各構成人員に係わる、前記経過日数情報、又は前記入金情報、若しくは前記診断利用履歴情報に応じて、前記診断制限を実行することを特徴とする。
【００２４】
これにより、各構成人員の一部が診断許可（又は制限・禁止）条件に該当するのか、全員が該当するのかに応じて、その診断制限態様を変えることが可能となり、さらにきめ細やかなサービス提供等を行うことができる。
【００２５】
第８発明は、上記第２乃至第７発明のいずれかにおいて、前記診断手段は、複数の人物情報相互の相性情報を格納したデータベースにアクセスし、前記照合対象の複数の人物情報に対応した前記相性情報を取得し、その取得した相性情報に基づき前記診断を行うことを特徴とする。
【００２６】
診断手段における診断材料をデータベースアクセスによって取得する構成とすることにより、データベース内に格納された相性情報を所定間隔で更新するようにすることで、常時最新の診断材料情報によって診断を行うことができる。
【００２７】
第９発明は、上記第２乃至第８発明のいずれかにおいて、前記情報取得手段は、前記人物情報として、前記人物の性別情報、血液型情報、誕生日情報、当該誕生日に係わる星座情報又は干支情報のうち少なくとも１つの情報を取得し、前記診断手段は、前記複数の人物それぞれに係わる前記少なくとも１つの情報相互の相性を診断することを特徴とする。
【００２８】
これにより、各人物の性別、血液型、誕生日、星座・干支等に基づき、利用者のニーズに応じた多種多様な診断を行うことができる。
【００２９】
第１０発明は、上記第９発明において、前記情報取得手段で取得した前記少なくとも１つの情報に対応した、第１広告情報を生成する第１広告情報生成手段を有し、前記表示制御信号生成手段は、前記第１広告情報生成手段で生成した前記第１広告情報を、前記診断手段における診断中に前記表示手段で表示するための前記表示制御信号を生成することを特徴とする。
【００３０】
これにより、診断手段による診断に要する時間を活用して、利用者の性別、血液型、誕生日、星座・干支等にマッチした広告を提供することが可能となる。
【００３１】
第１１発明は、上記第９又は第１０発明において、前記診断手段による診断結果に対応した第２広告情報を生成する第２広告情報生成手段を有し、前記表示制御信号生成手段は、前記第２広告情報生成手段で生成した前記第２広告情報を、前記表示手段で表示するための前記表示制御信号を生成する
ことを特徴とする。
【００３２】
これにより、診断手段による診断結果に応じて、例えば男女の恋愛相性診断結果が良好な時にはハネムーンの旅行先、結婚式場、新築マンションの広告を提供する等、各種診断結果にマッチした広告を提供することが可能となる。
【００３３】
第１２発明は、上記第２乃至第１１発明のいずれかにおいて、前記表示制御信号生成手段は、前記診断手段における相性診断結果を数値化して表示するための前記表示制御信号を生成することを特徴とする。
【００３４】
数値化することで、利用者にとって感覚的にわかりやすい指標で表示することができ、さらに利便性を向上することができる。
【００３５】
第１３発明は、上記第２乃至第１２発明のいずれかにおいて、前記診断手段による相性診断結果を印字するための印字制御信号を生成する印字制御信号生成手段を有することを特徴とする。
【００３６】
これにより、相性診断結果をプリントアウトした形で利用者に提供することが可能となる。
【発明の効果】
【００３７】
本発明によれば、複数の被診断データの相関性を診断可能とすることで、種々の情報処理・サービス提供等に活用して利便性を向上することができる。
【発明を実施するための最良の形態】
【００３８】
以下、本発明の一実施の形態を図面を参照しつつ説明する。
【００３９】
図１は、本実施形態の無線タグ情報読み取り装置が適用される画像シール体販売機の外観を表す斜視図である。
【００４０】
この画像シール体販売機（無線タグ情報読み取り装置）１は、例えばゲームセンター、ボウリング場、遊園地等の遊戯施設や、映画館、デパート、ホテル、駅、待合室、ショッピングセンターなどの集客施設・公共施設等に設置されるものであり、複数人（一人のみの場合も可能）の操作者が自分たちを被写体とした写真を複数の画像シールとして購入するものである。具体的には、上記操作者が、例えば友人・知人と共に当該販売機１に備えられたカメラユニットで自分たちを撮影し、それにより取り込まれた画像データが操作者によって任意に加工・編集された後、一体に形成された複数枚のシール本体にそれぞれ上記画像データの画像が印刷されて複数の画像シールを備えた画像シール体が作成される。
【００４１】
そして、本実施形態による画像シール体販売機１が作成する画像シール体には、各画像シールに無線タグ回路素子Ｔoが備えられており（以下、この画像シールをタグ付き画像シールという）、画像シール体販売機１はそれら各無線タグ回路素子Ｔoにそのものの個体を特定できる識別情報（以下、タグＩＤという）を記憶させて画像シール体を作成するものである。
【００４２】
図１において、画像シール体販売機１は、概略的に、装置本体２と、この装置本体２に対向するよう配置された背景壁部３と、装置本体２と背景壁部３のそれぞれの上端を渡すように設けられた天板部４とを備えている。また背景壁部３の側面には、天板部４の側部に設けたレール５に沿って引き出すことで装置本体２と背景壁部３との間の空間を覆うことのできるカーテン６が設けられている。このカーテン６を引き出すことで、装置本体２と背景壁部３との間の空間が外部の空間から簡易的に仕切られ、被写体人物（操作者；人物）が撮影を行う略密室の撮影空間が形成される。
【００４３】
装置本体２は、撮影空間側の側面に、被写体人物を撮影するためのカメラユニット（撮影手段）７と、操作者と装置本体２との間で各種の指示や情報を入出力するためのコンソール部（詳しくは後述する）８と、個々のタグ付き画像シールに設けられた上記無線タグ回路素子Ｔoとの間で無線通信により情報送受信可能な２つの外部アンテナ（送受信手段）９ａ，９ｂと、作成した画像シール体と後述する相性診断結果を印字した結果記録紙とを排出して操作者が取り出すための取り出し口１０とが設けられている。なお、硬貨（紙幣）投入口などの販売のための部位については図示説明を省略する。
【００４４】
図２は、上記装置本体２の詳細構造を表す概念的構成図である。なお、図示の煩雑を避けるためにカメラユニット７、コンソール部８及び外部アンテナ９ａ，９ｂを筐体の上方に位置させて示している。
【００４５】
図２において、装置本体２は外郭を構成する筐体１１を有しており、この筐体１１の内部には、凹所としてのカートリッジホルダ部（図示せず）が設けられ、このカートリッジホルダ部に、カートリッジ１００が着脱可能に取り付けられている。また装置本体２は、シール基材テープ１０１に所定の印刷を行う印刷ヘッド（画像形成手段；この例ではインクジェットヘッド）１２と、シール基材テープ１０１をカートリッジ１００から繰り出すためのテープ送りローラ駆動軸１３と、シール基材テープ１０１に備えられる無線タグ回路素子Ｔo（詳細は後述）との間で、ＵＨＦ帯、マイクロ波帯、短波帯等適宜の周波数帯域の電波を用いて（あるいはループアンテナ等を用いる電磁結合方式や電磁誘導方式でも良い）無線通信により信号の送受を行う内部アンテナ１４と、後述するように作成後のタグ付き画像シールに備えられている無線タグ回路素子Ｔoとの間で上記内部アンテナ１４と同等の無線通信による信号の送受を行う上記２つの外部アンテナ９ａ，９ｂと、上記コンソール部８を構成するパネル部８ａ及びキーボード８ｂと、照明装置（特に図示せず）及びデジタルカメラからなる上記カメラユニット７と、上記シール基材テープ１０１を所定のタイミングで所定の長さに切断し所定枚数のタグ付き画像シール（及びブランクシール；後述）を直列に備えるテープ状の画像シール体を生成するカッタ１５と、装置本体２内部での無線通信による信号送受時において無線タグ回路素子Ｔoを内部アンテナ１４に対向する位置に保持するとともに、切断後の画像シール体を案内するための一対の搬送ガイド１９と、その案内された画像シール体を上記取り出し口１０に連通するシール搬出口１６へと搬送し送出する送出ローラ１７と、シール搬出口１６における画像シール体の有無を検出する排出センサ１８と、上記結果記録紙を印字するプリンタ５３とを有している。
【００４６】
一方、装置本体２はまた、上記内部アンテナ１４を介し上記シール基材テープ１０１に備えられる無線タグ回路素子Ｔoへアクセスする（読み取り又は書き込みを行う）とともに上記２つの外部アンテナ９ａ，９ｂを介し上記作成後のタグ付き画像シールに備えられる無線タグ回路素子Ｔoへアクセスするための高周波回路（送受信手段）２１と、この高周波回路２１を上記内部アンテナ１４又は上記２つの外部アンテナ９ａ，９ｂのいずれか一方に接続するよう配線を切り換える切り換えスイッチ２０と、無線タグ回路素子Ｔoから読み出された信号を処理するための信号処理回路２２と、テープ送りローラ駆動軸１３を駆動するカートリッジ用モータ２３と、このカートリッジ用モータ２３の駆動を制御するカートリッジ駆動回路２４と、上記印刷ヘッド１２への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記プリンタ５３を駆動するプリンタ駆動回路５２と、装置本体２外部に設けた通信ネットワークＮＷを介して情報の送受信を行うネットワーク通信制御部５１と、上記カメラユニット７、パネル部８ａ、キーボード８ｂ、高周波回路２１、切り換えスイッチ２０、信号処理回路２２、カートリッジ駆動回路２４、印刷駆動回路２５、ソレノイド駆動回路２７、送出ローラ駆動回路２９、プリンタ駆動回路５２、ネットワーク制御部３２等を介し、装置本体２全体の動作を制御するための制御回路３０とを有する。
【００４７】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号及び制御処理を行うようになっている。
【００４８】
また、コンソール部８を構成するパネル部８ａについて具体的には、例えば表示手段としてのＬＣＤパネル部分とこのＬＣＤパネル部分の表示を透過しつつ入力装置として機能するタッチパネル部分とが一体に形成されたものであり、またこのパネル部８ａのタッチパネル部分の表面に対して当接することで入力可能なタッチペン３１も備えている。また同様にコンソール部８を構成するキーボード８ｂは、操作者が装置本体２に対して各種の指示を行ったり、また後述するプロフィールデータなどを文字情報として入力するためのものである。
【００４９】
内部アンテナ１４は、この例ではダイポールアンテナで構成されており、対向する上記搬送ガイド１９全体を収容する空間の内部アクセスエリアＡｉの範囲に対して無線通信できるようになっている。また、２つの外部アンテナ９ａ，９ｂは、この例ではいずれも平面アンテナで構成されており、装置本体２の筐体１１の前方側（操作者側、すなわち図１における左手前側）に向けたそれぞれ所定の空間の外部アクセスエリアＡｅ１，Ａｅ２の範囲に対して無線通信できるようになっている。例えば内部アクセスエリアＡｉは筐体１１内部において形成されるものであり、また各外部アクセスエリアＡｅは筐体１１外部において十分離間した配置で形成されるものであって、全てのアクセスエリアは互いに重複せずに混信しない配置で形成されるようになっている。
【００５０】
プリンタ５３は、特に詳細に説明しないが公知の構成のものを使用しており、プリンタ駆動回路５２から入力される印字信号、制御信号によって内部に装填された用紙（ロール紙を所定の長さに切断した用紙、または単票のカードなど）に所定の印字を行い、上記取り出し口１０に連通する用紙搬出口５４に上記結果記録紙として搬出するものである。
【００５１】
ネットワーク通信制御部５１はインターネットなどの適宜の通信ネットワークＮＷを介して外部に設けたデータベース（記憶手段）５０と情報信号を授受可能に接続している。
【００５２】
このデータベース５０は、例えばハードディスク装置などの大容量記憶装置で構成されており、各タグ付き画像シールの無線タグ回路素子Ｔoが記憶するタグＩＤと関連付けて後述するプロフィールデータなどの各種情報を記憶している（詳しくは後述する）。
【００５３】
なお、上記カッタ１５は、上記印刷ヘッド１２の印刷開始点からテープ搬送方向下流側に距離Ｌａだけ離間した配置に設置されている。
【００５４】
図３は、上記カートリッジ１００の詳細構造を説明するための説明図である。
【００５５】
この図３において、カートリッジ１００は、筐体１００Ａと、この筐体１００Ａ内に配置され帯状の上記シール基材テープ１０１が巻回されたシール基材ロール１０２と、このシール基材ロール１０２から繰り出されたシール基材テープ１０１の搬送方向を誘導するガイドローラ１０３と、この繰り出されたシール基材テープ１０１を押圧しつつ矢印Ａで示す方向にテープ送りをするテープ送りローラ１０７とを有する。
【００５６】
シール基材ロール１０２は、リール部材１０２ａの周りに、長手方向に複数の無線タグ回路素子Ｔoが所定の等間隔で順次形成（５つ毎にブランクあり。詳しくは後述する）された上記シール基材テープ１０１を巻回している。
【００５７】
シール基材テープ１０１はこの例では３層構造となっており（図３中部分拡大図参照）、外側に巻かれる側（図３中右側）よりその反対側（図３中左側）へ向かって、（例えば表面に対し適宜の受像処理を施した紙から成る）プリント台紙層１０１ａ、適宜の粘着材からなる粘着層１０１ｂ、剥離紙１０１ｃの順序で積層され構成されている。
【００５８】
プリント台紙層１０１ａの裏側（図３中左側）には、情報の送受信を行うアンテナ１５２がこの例では一体的に設けられており、これに接続するように情報を更新可能に（書き換え可能rewritableに）記憶するＩＣ回路部１５１が形成され、これらによって無線タグ回路素子Ｔoが構成されている。
【００５９】
プリント台紙層１０１ａの裏側（図３中左側）には、無線タグ回路素子Ｔoを内包するように設けた上記粘着層１０１ｂによって上記剥離紙１０１ｃがプリント台紙層１０１ａに接着されている。そしてシール基材テープ１０１の長手方向において、隣り合う無線タグ回路素子Ｔoどうしの中間位置には上記プリント台紙層１０１ａと上記粘着層１０１ｂだけが切断されたハーフカット状態となって剥離紙１０１ｃだけでつながっている。これらのハーフカット部分（以下、ハーフカット線Ｌｈという）で区切られた区間のプリント台紙層１０１ａと粘着層１０１ｂが、上記無線タグ回路素子Ｔoを一つ備える単体のタグ付き画像シールのシール本体１０４を構成しており、これら各シール本体１０４は最終的に剥離紙１０１ｃから容易に剥離されて粘着層１０１ｂにより他の物品等に貼付できるようにしたものである。なお、本実施形態ではカッタ１５により切断可能であることから、上記ハーフカット線Ｌｈは必ずしも必要ない。またカッタ１５がない場合であっても、必ずしもハーフカット線Ｌｈは必要でなく、この場合には操作者が自らハサミ等によりこのハーフカット線Ｌｈに相当する部位で分断するようにすれば足りる。
【００６０】
テープ送りローラ１０７は、カートリッジ１００外に設けた例えばパルスモータである上記カートリッジ用モータ２３（前述の図２参照）の駆動力が上記テープ送りローラ駆動軸１３（搬送手段）に伝達されることによって回転駆動される。
【００６１】
上記構成のカートリッジ１００において、上記シール基材ロール１０２より繰り出されたシール基材テープ１０１は、テープ送りローラ１０７へと供給される。そして、カートリッジ１００が上記装置本体２のカートリッジホルダ部に装着されロールホルダ（図示せず）が離反位置から当接位置に移動されると、シール基材テープ１０１がテープ送りローラ１０７とサブローラ１０９との間に狭持される。
【００６２】
そして、カートリッジ用モータ２３の駆動力によってテープ送りローラ１０７が矢印Ｂで示す方向に回転駆動される。このとき、シール基材ロール１０２からシール基材テープ１０１が繰り出され、上述のようにテープ送りローラ１０７へ供給される。一方、上記印刷駆動回路２５により印刷ヘッド１２が駆動される。この結果、シール本体１０４の表面に操作者画像（後述の図６参照）が印刷される。そして、印刷が終了した上記シール基材テープ１０１が上記テープ送りローラ１０７及びサブローラ１０９によりカートリッジ１００外へと搬出される。また、ガイドローラ１０３が設けられていることで、シール基材ロール１０２の残量により外径Ｄｒが変化しても装置側の内部アンテナ１４とシール本体１０４の位置関係が所定の範囲となるように規制して、無線タグ回路素子Ｔoとの通信条件を一定に保つようになっている。
【００６３】
なお、詳細な説明及び図示を省略するが、シール基材テープ１０１には無線タグ回路素子Ｔoの位置に対応してセンサマークが設けられており周知の反射型センサにより該センサマークを検出することにより繰り出し量が制御されている。
【００６４】
図４は、上記高周波回路２１の詳細機能及びその周辺の構成を表す機能ブロック図である。この図４において、高周波回路２１は、上記切り換えスイッチ２０を経て内部アンテナ１４と２つの外部アンテナ９ａ，９ｂ（以下適宜、装置側アンテナ９ａ，９ｂ，１４と総称する）を介しそれぞれ無線タグ回路素子Ｔoに対して信号を送信する送信部３２と、装置側アンテナ９ａ，９ｂ，１４により受信された無線タグ回路素子Ｔoからの反射波を入力する受信部３３と、送受分離器３４とから構成される。
【００６５】
送信部３２は、制御回路３０からの制御信号に応じ、無線タグ回路素子ＴoのＩＣ回路部１５１の無線タグ情報にアクセスする(読み取り又は書き込み)ための搬送波を発生させる水晶振動子３５、制御回路３０の制御により所定の周波数の信号を発生させるＰＬＬ（Phase  Locked  Loop）３６、及びＶＣＯ（Voltage  Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、ＵＨＦ帯、マイクロ波帯、短波帯等の適宜の周波数を用いており、上記送信アンプ３９の出力は、送受分離器３４を介して切り換えスイッチ２０を経て装置側アンテナ９ａ，９ｂ，１４に伝達されて無線タグ回路素子ＴoのＩＣ回路部１５１に供給される。なお、無線タグ情報は上記のように変調した信号に限られず、単なる搬送波のみの場合もある。
【００６６】
受信部３３は、装置側アンテナ９ａ，９ｂ，１４により受信された無線タグ回路素子Ｔoからの反射波と上記発生させられた搬送波とを乗算して復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記装置側アンテナ９ａ，９ｂ，１４により受信された無線タグ回路素子Ｔoからの反射波と上記発生された後に移相器４９で位相を９０°遅らせた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６７】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態では、Ｉ−Ｑ直交復調によって無線タグ回路素子Ｔoからの反射波の復調が行われる。
【００６８】
そして上述したように送受分離器３４、内部アンテナ１４、及び２つの外部アンテナ９ａ，９ｂに接続されている切り換えスイッチ２０は、例えば、周知の高周波用ＦＥＴやダイオードあるいはリレーを用いたスイッチ回路であり、制御回路３０からの選択信号により内部アンテナ１４と２つの外部アンテナ９ａ，９ｂのいずれか一つを送受分離器３４に接続するものである。
【００６９】
図５は、上記無線タグ回路素子Ｔoの機能的構成を表す機能ブロック図である。図５において、無線タグ回路素子Ｔoは、画像シール体販売機１の装置側アンテナ９ａ，９ｂ，１４のそれぞれに対して非接触で信号の送受信を行う上記アンテナ１５２と、このアンテナ１５２に接続された上記ＩＣ回路部１５１とを有している。
【００７０】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７１】
変復調部１５８は、アンテナ１５２により受信された上記アンテナ１４からの通信信号の復調を行うと共に、上記制御部１５５からの応答信号に基づき、アンテナ１５２が受信した搬送波を変調し、アンテナ１５２より反射波として再送信する。
【００７２】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００７３】
クロック抽出部１５６は受信した信号からクロック成分を抽出して制御部１５５にクロックを抽出するものであり、受信した信号のクロック成分の速度に対応したクロックを制御部１５５に供給する。
【００７４】
図６（ａ）及び図６（ｂ）は、無線タグ回路素子Ｔoを備えたシール基材テープ１０１から、上述のように所定数の無線タグ回路素子Ｔoに対する情報送受信及びそれらに対応する同数のシール本体１０４に印刷が行われ、ハーフカット線Ｌｈにおいて切断が完了して作成された画像シール体の外観の一例を表す図であり、図６（ａ）は上面図、図６（ｂ）は下面図である。
【００７５】
図６（ａ）に示すように、画像シール体Ｓｔは、それぞれ剥離することで分離可能な一つのブランクシールＳｂと所定数（図示する例では４つ）のタグ付き画像シールＳｉとが、一つの剥離紙１０１ｃを共通の台紙として長手方向に直列な配置で一体的に作成されている。各タグ付き画像シールＳｉの上面（表面）には、上記カメラユニット７の撮影により取り込まれて後述する加工・編集処理が施された画像データの画像Ｐ（操作者画像）が印刷される印刷領域Ｒが設けられている。
【００７６】
ブランクシールＳｂは、作成時における装置本体２中での搬送方向の上流側、つまり最初に搬出口１６から排出される側に位置しており、他のタグ付き画像シールＳｉと同じ搬送方向長さであって、このブランクシールＳｂにおいてのみ上記印刷領域Ｒが設けられていない（つまり画像データの画像Ｐが印刷されていない）ものとなっている。なお、このブランクシールＳｂの搬送方向長さＬｓ（つまり各タグ付き画像シールＳｉの搬送方向長さ）は、装置本体２における印刷ヘッド１２の印刷開始点とカッタ１５との距離Ｌａと同じ長さとなっている。
【００７７】
また、図６（ｂ）中の破線で示すように各タグ付き画像シールＳｉの中央位置には無線タグ回路素子Ｔoが内包されているが、ブランクシールＳｂにおいては無線タグ回路素子Ｔoが設けられていない。つまり、画像シール体Ｓｔを作成する元の材料であるシール基材テープ１０１（図３参照）には、長手方向に無線タグ回路素子Ｔoが等間隔で配置されているところ、一つの画像シール体Ｓｔにおけるタグ付き画像シールＳｉの枚数おき（この例では４枚おき）に無線タグ回路素子Ｔoが設けられていないものとなっている。
【００７８】
以上において、本実施形態の最も大きな特徴は、複数のタグ付き画像シールＳｉ（必ずしも画像シール体販売機１によって作成されていなくてもよい）にそれぞれ備えられた無線タグ回路素子ＴoのタグＩＤに対応する相性要素コード（被診断データ）を取得し相互の相性診断処理（照合）を行うことにより、それら複数の相性要素コードの相性（相関性）を診断し出力することにある。以下、その詳細を順を追って説明する。
【００７９】
まず、上記相性要素コードの診断に対応して、データベース５０に記憶させるプロフィールテーブル、相性診断テーブル、及びＩＤ管理テーブルの構成について説明する。
【００８０】
図７は、データベース５０に記憶させるプロフィールテーブルの一例を概念的に表す図である。この図７において、プロフィールテーブルは、複数の操作者個人にそれぞれ対応してデータが格納されるテーブル形式で構成されており、その格納されるデータつまりプロフィールデータとしては、各操作者個人に設定されるユーザＩＤと、パスワードと、ニックネームデータと、相性要素コード（被診断データ）と、有料利用回数データ（診断利用履歴情報）と、無料利用回数データ（診断利用履歴情報）と、無料利用権有無データと、無料利用有効期限データ（経過日数情報）とで構成されている。
【００８１】
ユーザＩＤは、多数の操作者をシステム上で特定可能な識別情報であり、プロフィールデータの新規登録時に一意的に生成されて操作者個人に設定されるものである。なお、この例では、図示するように３２ビットデータ（１６進表記）で構成されている。
【００８２】
パスワードは、後述するセキュリティ処理のために上記ユーザＩＤと組み合わせて装置本体２に入力される記号であり、例えば制御回路２０側でランダムな文字列として生成されるものである。
【００８３】
ニックネームデータは、操作者により本人の通称として入力設定される文字列であり、これは複数の操作者間で重複するものであってもよい。
【００８４】
相性要素コードは、後述する相性診断処理において、操作者と診断対象者との相性を診断するための判定要素であり、後述するプロフィールデータ入力処理において操作者から入力された血液型、干支、星座などの要素（人物情報）に基づいて生成されるコードデータである（詳しくは後述する）。なお、この例では、図示するように２４ビットデータ（１６進表記）で構成されている。
【００８５】
有料利用回数データは、操作者がそれまでに行った有料処理（後述する新規発行処理や有料の相性診断処理）の回数を表すデータである。
【００８６】
無料利用回数データは、操作者がそれまでに行った無料の相性診断処理の回数を表すデータである。
【００８７】
無料利用権有無データは、操作者に無料利用の権利が付与されているか否かを表すデータであり、この例では、１ビットデータ（２進表記；付与されている場合は１、されていない場合は０）で構成されている。
【００８８】
無料利用有効期限データは、操作者に無料利用の権利が付与されている場合（つまり上記無料利用権有無データが１となっている場合）に、その権利が有効である期限を表すデータである（詳しくは後述する）。
【００８９】
なお、上記プロフィールテーブルの内容は、システム上で操作者個人を特定できる内容であればよく、実社会上において個人を特定できる内容まで含める必要はない。
【００９０】
図８は、上記相性要素コードのデータ構成を説明する図である。この図８において、１６進数表記の２４ビットデータである相性要素コードのうち、この例では上位１３〜１６ビットの４ビットが図８（ａ）で示すように血液型の要素に対応し、上位１７〜２０ビットの４ビットが図８（ｂ）で示すように干支の要素に対応し、上位２１〜２４ビットが図８（ｃ）で示すように星座の要素に対応している。そして図９に示すように各要素のビットデータの論理和（ＯＲ）を取ることで２４ビットデータの相性要素コードが生成される（図示する例では対象人物の血液型がＡ型で、干支が未年で、星座がいて座であることを意味する０００１７８を生成する場合を示している）。
【００９１】
この例では、４通りの血液型（血液型情報）と、１２通りの干支（干支情報）と、１２通りの星座（星座情報）との組み合わせにより生成されるため４×１２×１２＝５７６通りの相性要素コードが生成される。なお、この例では上位１２ビットが未使用であるため、そこに他の要素（例えば性別情報や誕生日情報など）を追加して割り当てることもできる。
【００９２】
図１０は、データベース５０に記憶させる相性診断テーブルの一例を概念的に表す図である。
【００９３】
図１０に示す相性診断テーブル（相性情報）において、図中上方に示す横方向（列）の振り分けは、例えば、操作者より装置本体２に向かって左側の外部アンテナ９ａ（図１参照）から読み取られたタグＩＤに対応する相性要素コード（タグＩＤと相性要素コードとの対応については後述する）に対応している。また例えば、図中左側に示す縦方向（行）の振り分けは、右側の外部アンテナ９ｂ（図１参照）から読み取られたタグＩＤに対応する相性要素コードに対応している（図中では、各相性要素コードは００００００〜０００００Ａまでの一部を示し、その他は省略している）。そしてこの相性診断テーブルには、この例において相性要素コードが上述したように５７６通りあるため、それら２つの組み合わせとして５７６×５７６＝３３１７７６通りの相性診断結果が記憶されている。
【００９４】
そしてこの例において、各相性診断結果は、２つの相性要素コードの組み合わせにおける恋愛の相性（相関性）を０％〜１００％で表す相関値であり、これら相関値は例えば公知の相性診断のアプリケーションを利用して得るものであったり、または専門家の占い師によって設定されるものであって、データベース５０側において適切な頻度（毎日、１週間毎など）で更新・管理されるようになっている。なおこの例では、２つの相性要素コードの組み合わせにおける相関値として恋愛の相性の度合いを用いているが、これに限られずに例えばビジネス面での相性やその他多様な関係性に関わる相関値を設定してもよい。
【００９５】
またこの例では、左右に並んだ２つの外部アンテナ９ａ，９ｂからそれぞれタグＩＤ（それぞれユーザＩＤに対応）を読み取った場合の配置関係をも考慮しており、すなわち同じ２つのタグＩＤでも右側と左側の読み取り配置が逆である場合には異なる診断結果が得られるだけの数の相関値が設定されている。これにより風水などのような方角や配置の関係性をも考慮する相性診断の要素を取り入れることができる。なお、このように２つのタグＩＤの読み取り配置の関係性を考慮する必要がない場合（同じ２つのタグＩＤなら右側左側関係なく同じ診断結果で足りる場合）、相性診断テーブルの記憶容量は半分で足りる。
【００９６】
図１１は、データベース５０に記憶させるＩＤ管理テーブルの一例を概念的に表す図である。この図１１において、ＩＤ管理テーブルには多数個のタグＩＤが順に格納されており、そしてそれらタグＩＤにそれぞれ対応するユーザＩＤが記憶されている。
【００９７】
ここで、タグＩＤは、この例では、それを記憶している無線タグ回路素子Ｔoそのものの個体を特定可能な識別情報（いわゆるユニークＩＤ）であり、上記シール基材テープ１０１の製造時に予め一意的に生成されたタグＩＤが各無線タグ回路素子Ｔoのメモリ部１５７に消去不能に記憶されている。
【００９８】
そして、ＩＤ管理テーブルには、全てのタグＩＤのうちで過去に発行されたタグ付き画像シールＳｉの無線タグ回路素子Ｔoにそれぞれ割り当てられている発行タグＩＤが格納されており、当該タグ付き画像シールＳｉに画像を形成した操作者のユーザＩＤが各タグＩＤに対応付けられて記憶されている。このＩＤ管理テーブルを用いることにより、外部アンテナ９ａ，９ｂからタグＩＤを読み取った際に対応するユーザＩＤを検索し取得することができる。また、タグ付き画像シール体Ｓｔが新規作成された際に操作者がプロフィールデータを入力しなかった場合にはユーザＩＤとしてヌルデータ（００００００）が記憶される（図中のタグＩＤ０００００００Ｃ〜０００００００Ｆ参照）。
【００９９】
図１２は、上記装置本体２の制御回路３０によって実行される制御手順を表すフローチャートである。なお、この画像シール体販売機１の制御フローに従ってパネル部８ａに表示される内容の一例を後に詳細に説明する。
【０１００】
図１２において、画像シール体販売機１の電源が投入されるとこのフローが開始される。
【０１０１】
まずステップＳ５において、画像シール体販売機１の待機状態で、硬貨投入口などの販売機構部分（特に図示していない）に料金が投入されるか、又は２つの外部アンテナ９ａ，９ｂのいずれかからタグＩＤが検出されるかのどちらかの待機解除契機が生じたか否かを判定する。
【０１０２】
すなわち、上記電源投入とともに、無線タグ回路素子Ｔoに記憶された情報を読み出すための問合せコマンド（例えば「Scroll  All  ID」コマンド等）を信号処理回路２２に出力する。これによって信号処理回路２２でアクセス情報としての不特定問合せ信号（例えば「Scroll  All  ID」信号等）が生成されて高周波回路送信部３２及びアンテナ９ａ，９ｂを介し外部アクセスエリアＡｅ１，Ａｅ２に所定周期でほぼ常時送信された状態となる。この結果、外部アクセスエリアＡｅ１，Ａｅ２内に無線タグ回路素子Ｔoが存在する場合には、当該無線タグ回路素子Ｔoからの返信が促され、その返信信号（無線タグ回路素子ＴoのタグＩＤを含む）がアンテナ９ａ，９ｂを介して受信し、高周波回路受信部３３及び信号処理回路２２を介し取り込まれ、タグＩＤが取得（検出）されることとなる。
【０１０３】
このようなタグＩＤの検出、若しくは料金投入の待機解除契機が生じていない場合、判定が満たされず、ステップＳ１０へ移って所定の終了操作が行われたか否かの判定を行い、終了操作が行われている場合はこのフローを終了し、終了操作が行われていない場合はステップＳ５に戻って待機状態を維持したままループを繰り返す。一方、料金の投入またはタグＩＤの検出による待機解除契機が生じた場合、判定が満たされ、次のステップＳ１５へ移る。
【０１０４】
ステップＳ１５では、上記ステップＳ５の判定において検知された待機解除契機がタグＩＤの検出によるものか否かを判定する。料金投入による待機解除契機である場合、判定が満たされず、次のステップＳ２０へ移る。
【０１０５】
ステップＳ２０では、待機解除契機として投入された料金の累計が、画像シール体販売機１の作動を開始するのに必要な所定の金額に達しているか否かを判定する。投入された料金の累計金額が所定金額に達していない場合、判定が満たされず、ステップＳ５へ戻り料金の追加投入を待機する状態となる。一方、投入された料金の累計金額が所定金額に達した場合（入金情報を検出した場合）、判定が満たされ、次のステップＳ２５へ移る。
【０１０６】
ステップＳ２５では、パネル部８ａに制御信号を出力してメニュー画面（後に一例を図示し説明する。画面表示について以下同様）を表示させ、パネル部８ａのタッチパネル部分またはキーボード８ｂからの入力を介して操作者による今回の操作が画像シール体Ｓｔの新規作成であるか否かを判定する。新規作成が選択されている場合、判定が満たされ、次のステップＳ１００へ移り、カメラユニット７での撮影による画像データの取り込みも含めて画像シール体Ｓｔを最初から作成する新規作成処理を行い、その後ステップＳ５の待機状態に戻る。
【０１０７】
一方、上記ステップＳ２５の判定において、新規作成が選択されていない場合、判定が満たされず、すなわち操作者による今回の操作が有料利用により相性診断（後述する複数人相性診断）を行うものとみなしてステップＳ３０へ移り、キーボード８ｂを介し操作者（この場合、相性診断を行う２人）が操作入力したユーザＩＤおよびパスワードを入力（識別）する。そしてステップＳ４５へ移る。
【０１０８】
一方、上記ステップＳ１５の判定において、待機解除契機がタグＩＤの検出によるものである場合、判定が満たされ、すなわち操作者による今回の操作が無料利用により相性診断を行うものとみなしてステップＳ３５へ移る。
【０１０９】
ステップＳ３５では、上記ステップＳ５で検出した２つのタグＩＤの両方の無料利用権が共に有効期限内であるか否かを判定する。具体的には、各タグＩＤに対応するユーザＩＤをＩＤ管理テーブル（図１１参照）から取得し、プロフィールテーブル（図７参照）においてそれぞれのユーザＩＤに対応する無料利用権有無データが１（無料利用権あり）であるか否か、及びその時点でまだ無料利用有効期限データの日付以前であるか否かを判定する。
【０１１０】
検出された各タグＩＤに対応する無料利用権有無データの少なくともいずれか一つでも０（無料利用権なし）である場合、またはそれぞれに対応する無料利用有効期限データの日付の少なくともいずれか一つでもすでに過ぎている場合、判定は満たされず、すなわち今回の操作においては無料利用による相性診断ができないものとみなし、ステップＳ４０でパネル部８ａにエラー表示を行ってステップＳ５の待機状態に戻る。また、無料利用有効期限データの日付が過ぎている場合には、無料利用権有無データの内容を０に書き換えて更新する。
【０１１１】
なお、このステップＳ３５の判定基準としては、検出された２つのタグＩＤに対応する無料利用権の少なくともいずれか一つでも有効期限内である（複数の操作者の各構成員に係わる経過日数情報の少なくともいずれか一つでも有効である）ことで無料利用による相性診断を許可するようにしてもよい。
【０１１２】
一方、上記ステップＳ３５の判定において、各タグＩＤに対応する無料利用権が共に有効期限内である場合、判定は満たされ、ステップＳ４５へ移る。
【０１１３】
ステップＳ４５では、キーボード８ｂを介して操作者（２人）が入力したパスワードが各ユーザＩＤに対応するパスワードとそれぞれ一致するか否かを判定する。ここで、前述したように料金投入による有料利用での相性診断を行うとして上記ステップＳ３０でユーザＩＤが直接入力されている場合には、それらユーザＩＤにそれぞれ対応する正当なパスワードをプロフィールテーブルから取得して一致を判定する。また、有効期限内の無料利用権による無料利用での相性診断を行う場合、すでにステップＳ５で各タグＩＤを検出しているので、それぞれに対応するユーザＩＤをＩＤ管理テーブルから取得し、さらに対応する正当なパスワードをプロフィールテーブルから取得して一致を判定する。
【０１１４】
入力された各パスワードの少なくともいずれか一つでも正当なパスワードと一致しない場合、判定が満たされず、すなわち２人の操作者が相性診断の適格者ではないか、またはパスワードの入力ミスが生じたものとみなして、ステップＳ４０でパネル部８ａにエラー表示を行った後ステップＳ５の待機状態に戻る。またこの判定において、入力されたユーザＩＤがプロフィールテーブルに存在しない場合や、検出されたタグＩＤに対応するユーザＩＤがＩＤ管理テーブルに存在しない場合（つまりヌルデータである場合）もまたユーザＩＤの入力ミスまたはタグＩＤの不正使用であるとみなしてステップＳ４０へ移るようにしてもよい。
【０１１５】
一方、上記ステップＳ４５の判定において、入力された各パスワードが共に正当なパスワードと一致する場合、判定が満たされ、すなわち２人の操作者が適格者であり相性診断を行うことができるとみなして、次のステップＳ５０へ移り、プロフィールテーブルから各ユーザＩＤに対応して取得される２つの相性要素コードに基づき相性診断テーブル（図１０参照）から２人の操作者の相性を相関値として取得し出力する複数人相性診断を行う。この際、パネル部８ａに制御信号を出力して相性診断結果を表示するとともに、プリンタ駆動回路５２にも制御信号を出力して同等の相性診断結果を紙面に印字出力する。
【０１１６】
またこの複数人相性診断の手順において、有料利用により相性診断を行っている場合にはプロフィールテーブルにおける有料利用回数データの内容に１を加算して更新し、または無料利用により相性診断を行っている場合にはプロフィールテーブルにおける無料利用回数データの内容に１を加算して更新する。これらの回数データを参照することで、操作者の利用回数（利用期間も管理している場合には利用頻度）に対応したさらなる無料利用権や割引の設定、または各種のサービスを実施することができる。
【０１１７】
なお、この複数人相性診断の手順を終える際に、無料利用権有無データを必ず０にリセットするようにすれば、無料利用権を有効期限内にただ一回だけ利用できるように設定することができる。このリセットを行わない場合には、無料利用権の有効期限内において何回でも無料利用による相性診断が可能になる。
【０１１８】
そしてこの複数人相性診断の手順を行った後にはステップＳ５の待機状態へ戻る。
【０１１９】
以上のフローによる制御手順を行うことにより、操作者は、料金投入による画像シール体Ｓｔの新規作成、または料金投入による有料利用での相性診断、または有効期限内の無料利用権による無料利用での相性診断のいずれかを選択して行うことができる。また、相性診断を行う場合にはユーザＩＤとパスワードの管理によるセキュリティ処理が行われるため、タグ付き画像シールＳｉを作成した本人以外の不適格者による不正な相性診断が行われることを防ぐことができる。
【０１２０】
図１３は、図１２中のステップＳ１００（新規作成処理の詳細手順を表すフローチャートである。
【０１２１】
図１３において、まずステップＳ１０５において、カメラユニット７を操作して操作者の撮影を行い画像データを取り込む。この際、複数回の撮影を行い、そのうちのいずれの撮影で取り込まれた画像データを採用するかを操作者に選択させるようにしてもよい。また、この取り込んだ画像データに各種の視覚効果や修飾データを付加させてもよい。
【０１２２】
次にステップＳ２００へ移り、上記ステップＳ１０５で得た画像データの画像Ｐを、この例における４枚の連続したシール本体１０４の表面にそれぞれ印刷しつつ、それぞれに内包されている無線タグ回路素子Ｔoに対し情報送受信を行う画像シール体作成処理を行う。
【０１２３】
次にステップＳ１１０へ移り、パネル部８ａに制御信号を出力して選択画面を表示させ、パネル部８ａのタッチパネル部分またはキーボード８ｂからの入力を介して操作者（この場合一人）に相性診断（後述する単独相性診断や複数人相性診断）を行う意志があるか否かを判定する。相性診断を行わない指示が入力された場合、判定が満たされず、ステップＳ１７５へ移る。一方、相性診断を行う指示が入力された場合、判定が満たされ、次のステップＳ１１５へ移る。
【０１２４】
ステップＳ１１５では、操作者によるパネル部８ａのタッチパネル部分またはキーボード８ｂからの入力に基づき、操作者の相性要素コードを生成し、次のステップＳ１２０でこの相性要素コードに基づき単独相性診断の手順を行う。この単独相性診断は、上記ステップＳ１１５で生成した操作者の相性要素コードに対して相性の相関値が高い架空の相手の相性要素コードを相性診断テーブルから取得し、その取得した相性要素コードを構成する血液型、干支、及び星座の各要素の組み合わせを出力したり、またその取得した相性要素コードに該当するニックネームデータをプロフィールテーブルから取得して出力する手順である。
【０１２５】
次にステップＳ１２５へ移り、操作者によるパネル部８ａのタッチパネル部分またはキーボード８ｂからの入力に基づき、相性診断を行うために必要なプロフィールデータの新規登録を行う意志があるか否かを判定する。プロフィールデータの登録を行う指示が入力された場合、判定が満たされ、ステップＳ１３５へ移る。
【０１２６】
ステップＳ１３５では、操作者によりキーボード８ｂを介し操作入力された操作者のニックネームデータを入力（識別）し、次のステップＳ１４０で対応するユーザＩＤとパスワードを新規に生成し、それらをパネル部８ａに表示させた後ステップＳ１６０へ移る。
【０１２７】
一方、ステップＳ１２５において、プロフィールデータの登録を行わない指示が入力された場合、判定が満たされず、ステップＳ１３０へ移る。ステップＳ１３０では、操作者によるパネル部８ａのタッチパネル部分またはキーボード８ｂからの入力に基づき、すでに登録されているプロフィールデータを利用するか否かを判定する。操作者がプロフィールを利用しない指示が入力されている場合、判定が満たされず、ステップＳ１７５へ移る。
【０１２８】
一方、上記ステップＳ１３０の判定において、既存の（登録済みの）プロフィールデータを取得し利用するよう操作者が指示している場合、判定が満たされ、ステップＳ１４５へ移り、操作者によりキーボード８ｂを介し操作入力された操作者のユーザＩＤとパスワードを入力（識別）する。
【０１２９】
次にステップＳ１５０へ移り、入力されたユーザＩＤに対応する正当なパスワードをプロフィールテーブルから取得し、この取得したパスワードと入力されたパスワードが一致するか否かを判定する。入力されたパスワードが取得された正当なパスワードと一致しない場合、判定が満たされず、すなわち操作者が上記ステップＳ１４５で入力したユーザＩＤの正当な登録者ではないか、またはパスワードの入力ミスが生じたものとみなして、ステップＳ１５５でパネル部８ａにエラー表示を行った後ステップＳ１３０へ戻って同様の手順を繰り返す。
【０１３０】
一方、上記ステップＳ１５０の判定において、入力されたパスワードが取得されたパスワードと一致する場合、判定が満たされ、すなわち操作者が上記ステップＳ１４５で入力したユーザＩＤの正当な登録者であるとみなしてステップＳ１６０へ移る。
【０１３１】
ステップＳ１６０では、無料利用条件を満たしているか否かの判定を行い、無料利用条件が満たされている場合、判定が満たされ、ステップＳ１６５で無料利用権有無データを１に設定するとともに無料利用有効期限データを設定して無料利用権を発生させるサービスを行った後ステップＳ１７０へ移る。一方、無料利用条件が満たされていない場合、判定が満たされず、そのままステップＳ１７０へ移る。
【０１３２】
なお、上記の無料利用条件としては、例えば操作したその日が操作者の星座に対応する日付であったり、または当該画像シール体販売機１を設置している店舗の店長などといった特定の人とその日の相性の相関値が比較的高い場合などといった多様な条件が考えられる。また、サービスの内容も無料利用権の発生に限定されずに、特定の店舗での買い物に利用可能な割引券・クーポン券をプリンタ５３で印字発行するなど多様なサービスが考えられる。
【０１３３】
ステップＳ１７０では、プロフィールテーブルの新規登録または更新を行う。ここで、上記ステップＳ１３５で新規にニックネームデータが入力されステップＳ１４０でユーザＩＤ及びパスワードが新規に生成された場合、それらニックネームデータ、ユーザＩＤ、及びパスワードと、さらに相性要素コード、無料利用権有無データ、及び無料利用有効期限データ等とがプロフィールテーブルに新たに登録される。また、上記ステップＳ１３０の判定において操作者がすでに登録されているプロフィールデータを利用するよう指示している場合、上記ステップＳ１４５で入力されたユーザＩＤに対応して無料利用権有無データ、無料利用有効期限データ等がプロフィールテーブルにおいて更新される。
【０１３４】
そして次のステップＳ１７５では、ＩＤ管理テーブルにおいて、上記ステップＳ２００で読み込まれた４つのタグＩＤ（新規作成分の４つのタグ付き画像シールＳｉに備えられている無線タグ回路素子Ｔoにそれぞれ予め記憶されているユニークＩＤ）にそれぞれ対応して上記の入力・生成されたユーザＩＤを登録する。また、上記ステップＳ１１０の判定において操作者から相性診断を行わないと指示する入力があった場合、または上記ステップＳ１２５及びステップＳ１３０の判定において操作者からプロフィールデータの登録を行わない（既存データも用いない）と指示する入力があった場合には、ユーザＩＤの代わりにヌルデータがＩＤ管理テーブルに登録される。そしてこのフローを終了する。
【０１３５】
図１４は、装置本体２の制御回路３０が図１３中のステップＳ２００において実行する新規作成処理の詳細手順を表すフローチャートである。この図１４において、まずステップＳ２０５において、カウンタ変数Ｉを１に初期化する。
【０１３６】
次にステップＳ２１０へ移り、上記図１３のフローにおけるステップＳ１０５で得た画像データに基づき、印刷駆動回路２５に出力するための印刷信号を生成する。
【０１３７】
次にステップＳ２１５へ移り、カートリッジ駆動回路２４に制御信号を出力し、カートリッジ用モータ２３の駆動力によってテープ送りローラ１０７を回転駆動させる。これにより、シール基材ロール１０２からシール基材テープ１０１が繰り出されテープ送りローラ１０７へ供給される。またこのとき、印刷駆動回路２５に上記ステップＳ２１０で生成した印刷信号を出力し、印刷ヘッド１２を通電して、シール本体１０４のうち所定の印刷領域Ｒに、上記ステップＳ１０５で得た画像データの画像Ｐを印刷させる。
【０１３８】
なお、このテープ搬送と印刷が開始される直前の状態としては、ブランクシールＳｂの搬送方向先端、つまり画像シール体Ｓｔ全体の搬送方向の下流側先端はカッタ１５の位置と一致しており（すなわち前回切断されたままの状態）、またそのカッタ１５の位置から搬送方向上流側にタグ付き画像シールＳｉ１枚分の長さＬａだけ離間している印刷ヘッド１２の印刷開始点は１枚目のタグ付き画像シールＳｉの搬送方向下流側の先端と一致している。これにより、シール基材テープ１０１の搬送を開始すると同時に１枚目のタグ付き画像シールＳｉの印刷を開始することができる。また、このステップＳ２１５では、印刷駆動回路２５にタグ付き画像シールＳｉ１枚分の合成画像データだけが出力される。
【０１３９】
さらにこのステップＳ２１５では、送出ローラ駆動回路２９を介して送出ローラ用モータ２８に制御信号を出力し、送出ローラ１７を回転駆動させる。これにより、前述したようにカッタ１５を通過したシール基材テープ１０１が搬出口１６を介して装置本体２外方向へと搬送される。
【０１４０】
次にステップＳ２２０へ移り、シール基材テープ１０１が所定量（例えば、印刷されたばかりのタグ付き画像シールＳｉに備えられている無線タグ回路素子Ｔoが搬送ガイド１９に到達するだけの搬送距離）だけ搬送されたかどうかを判断する。このときの搬送距離判定は、例えば、上記シール基材テープ１０１に設けた適宜の識別用マークを別途設けた公知のテープセンサで検出することにより行えば足りる。シール基材テープ１０１が所定量搬送された場合、判定が満たされ、ステップＳ２２５に移る。
【０１４１】
ステップＳ２２５では、切り換えスイッチ２０に制御信号を出力して高周波回路２１を内部アンテナ１４に接続した後、印刷中（または印刷が完了した直後）のタグ付き画像シールＳｉに備えられている無線タグ回路素子Ｔoに対して内部アンテナ１４を介しタグＩＤ（予めシール基材テープの製造時に書き込まれている上記ユニークＩＤ）を読み込む。このタグＩＤの読み込み処理は、特に詳しく説明しないが、例えば無線タグ回路素子Ｔoに対し問いかけ信号を送信した後、無線タグ回路素子ＴoからタグＩＤを含む応答信号を読み込むことによって行う。このとき、このタグＩＤの読み込み動作自体は所定の短い時間内に行われるが、この後も１枚分の画像データの画像Ｐの印刷がまだ完了していない場合はテープ搬送とともに印刷が継続して行われる。
【０１４２】
次にステップＳ２３０へ移り、シール基材テープ１０１のうちこの時点で作成対象としているＩ枚目のタグ付き画像シールＳｉに対応するシール本体１０４の印刷領域Ｒへの印刷がすべて完了しているかどうかを確認した後、ステップＳ２３５へ移る。
【０１４３】
次のステップＳ２３５では、カウンタ変数Ｉが４であるか否か、すなわち４枚全てのタグ付き画像シールＳｉに対して印刷とタグＩＤの読み込みが完了したか否かを判定する。カウンタ変数Ｉが４と異なる場合、つまりカウンタ変数Ｉがタグ付き画像シールＳｉの枚数の４よりまだ少ない場合、判定が満たされず、すなわち画像シール体Ｓｔが備えるタグ付き画像シールＳｉがまだ全て作成完了していないものとみなされ、ステップＳ２４０でカウンタ変数Ｉを１増加し、ステップＳ２４５で１枚分の合成画像データの印刷を再開した後にステップＳ２２０へ戻り同様の手順を繰り返す。
【０１４４】
一方、上記ステップＳ２３５の判定において、カウンタ変数Ｉが４となっている場合、判定が満たされ、すなわち４枚全てのタグ付き画像シールＳｉの作成が完了したとみなされて、次のステップＳ２５０へ移る。なお、この時点では４枚目のタグ付き画像シールＳｉの搬送方向上流側端部、つまり画像シール体Ｓｔ全体の搬送方向後端は印刷ヘッド１２の印刷開始点に位置している。
【０１４５】
次にステップＳ２５０では、タグ付き画像シールＳｉ４枚分の印刷とタグＩＤの読み込みを終えたシール基材テープ１０１がさらに所定量（タグ付き画像シールＳｉ１枚分の搬送方向長さＬｓの距離）だけ搬送されたかどうかを判断する。このときの搬送距離判定も、前述のステップＳ２２０と同様、例えばマーキングをテープセンサで検出することにより行えば足りる。判定が満たされた際、その時点で４枚目のタグ付き画像シールＳｉの搬送方向上流側端部がカッタ１５の位置と一致していることになり、次のステップＳ２５５に移る。
【０１４６】
ステップＳ２５５では、カートリッジ駆動回路２４及び送出ローラ駆動回路２９に制御信号を出力し、カートリッジ用モータ２３及び送出ローラ用モータ２８の駆動を停止して、テープ送りローラ１０７、送出ローラ１７の回転を停止する。これにより、シール基材ロール１０２からのシール基材テープ１０１の繰り出し及び送出ローラ１７による画像シール体Ｓｔの搬送が停止する。
【０１４７】
その後、ステップＳ２６０でソレノイド駆動回路２７に制御信号を出力してソレノイド２６を駆動し、カッタ１５によって画像シール体Ｓｔの切断を行う。前述したように、この時点で、４枚目のタグ付き画像シールＳｉの搬送方向上流側端部がカッタ１５の位置と一致しており、このカッタ１５の切断によって、１枚のブランクシールＳｂと４枚のタグ付き画像シールＳｉを一体に備えた画像シール体Ｓｔが生成される。
【０１４８】
その後、ステップＳ２６５に移り、送出ローラ駆動回路２９に制御信号を出力し、送出ローラ用モータ２８の駆動を再開して、排出センサ１８が画像シール体Ｓｔの存在を検出しなくなるまで送出ローラ１７を回転させる。これにより、送出ローラ１７による搬送が再開されて上記ステップＳ２６０で生成された画像シール体Ｓｔが搬出口１６へ向かって搬送され、搬出口１６から取り出し口１０へと排出される。
【０１４９】
このフローを行うことにより、各タグ付き画像シールＳｉに共通する画像データの画像が印刷された画像シール体Ｓｔを作成するとともに、それぞれの無線タグ回路素子Ｔoに予め記憶されているタグＩＤを読み込むことができる。
【０１５０】
図１５、図１６は、上記図１２に示されるフローの制御手順を実行している際にパネル部８ａに表示される表示画面の流れの一例を表す図であり、装置本体２の制御回路３０からの信号の流れを図式化して表す図である。
【０１５１】
図１５、図１６において、まず画像シール体販売機１が電源投入後の待機状態である際には、待機状態画面である表示画面Ｇ１を表示している。この状態は図１２のフローにおけるステップＳ５に対応する。そして、待機解除契機として無料利用による相性診断を行うために２つの外部アンテナ９ａ，９ｂからタグＩＤが検出された際には、無料利用権の有効期限外である場合、エラー表示である表示画面Ｇ２を表示（ステップＳ４０に対応）して数秒後に待機状態画面の表示画面Ｇ１に戻り、また無料利用権の有効期限内である場合、表示画面Ｇ５を表示する。
【０１５２】
一方、待機解除契機として販売機構部分に所定金額の料金が投入された場合には、選択メニュー画面である表示画面Ｇ３を表示し、パネル部８ａのタッチパネル部分またはキーボード８ｂからの入力を介して画像シール体Ｓｔの新規作成と相性診断のどちらを行うか選択入力させる（ステップＳ２５に対応）。ここで、画像シール体Ｓｔの新規作成が選択された場合、後述の図１７、図１８、図１９に示す新規作成処理の表示画面へ移る。一方、相性診断が選択された場合、ユーザＩＤを入力させる表示画面Ｇ４を表示する。ここで、選択された相性診断は複数人の相性診断であるため、表示画面Ｇ４は二人の操作者にそれぞれのユーザＩＤをキーボード８ｂから入力するよう促す画面となる（ステップＳ３０に対応）。
【０１５３】
二人のユーザＩＤが入力された後、二人の操作者にそれぞれキーボード８ｂからパスワードを入力するよう促す表示画面Ｇ５を表示する（ステップＳ４５に対応）。なお、この表示画面Ｇ５では、有料利用による相性診断を行うために二人の操作者からユーザＩＤを入力させた場合と、無料利用による相性診断を行うために左右２つの外部アンテナ９ａ，９ｂからそれぞれタグＩＤを検出させた場合のそれぞれで入力する二つのパスワードの対応を一致させるために入力欄の区別が容易となるよう表示する。
【０１５４】
そして入力された二つのパスワードの少なくともいずれか一つでも正当なパスワードと一致しない場合には表示画面Ｇ２でエラーを表示し（ステップＳ４０に対応）、数秒後に待機状態画面Ｇ１を表示する。一方、入力された二つのパスワードがどちらも正当なパスワードと一致した場合、二人の操作者のニックネームを表示して相性診断の開始を確認する表示画面Ｇ６を表示する。ここでパネル部８ａのタッチパネル部分またはキーボード８ｂからの入力で相性診断を行わない指示が入力された場合には待機状態画面Ｇ１を表示する。
【０１５５】
一方、相性診断を行う指示が入力された場合には、相性診断処理中の状態を示す表示画面Ｇ７を数秒間表示した後に相性診断結果を出力する表示画面Ｇ８を表示する。
【０１５６】
なお、表示画面Ｇ７において、上記診断処理中に診断に要する時間を活用して、相性診断の結果を待つ二人の操作者に対して相性要素コードの内容に対応した宣伝広告（第１広告情報；図示する例では星座に対応したその日のラッキーアイテムである缶コーヒーの宣伝広告）の表示をいれるようにしてもよい。これ以外にも、例えば操作者の性別に対応して男性にスポーツドリンクの広告等や、血液型に対応してＯ型に「部下操縦法」などのビジネス書の広告等や、誕生日に対応して誕生月に合致した宝石の広告等や、星座・干支等に対応して厄よけのお守り広告等を提供することもできる。またこの宣伝広告は無料利用の場合だけに表示するなどといった条件に応じた表示としてもよい。
【０１５７】
また、相性診断結果の表示画面Ｇ８においては、相性の相関値を図示する例のように棒グラフなどで幾何的に表示したり数字で表示することができる。相性診断結果を数値化（％表示）して表示することで、操作者にとって感覚的にわかりやすい指標で表示することができ、利便性を向上することができる。さらにその相関値の大きさに応じて画面の装飾やコメントを変えることも有効である。そして、さらに診断結果において相性の相関値が特に高い場合にのみ特別な宣伝広告（図示する表示画面Ｇ９の例では結婚式場の案内；第２広告情報）を表示することも有効である（以上、表示画面Ｇ８，Ｇ９がステップＳ５０の複数人相性診断に対応）。それ以外にも、例えば男女の恋愛相性診断結果が良好な時にはハネムーンの旅行先、結婚式場、新築マンションの広告を提供する等を行ってもよい。これら診断結果や特別な宣伝広告を表示した後で相性診断を終了する入力があった数秒後に待機状態画面Ｇ１へ戻る。
【０１５８】
図１７、図１８、及び図１９は、上記図１３に示される新規作成処理の制御手順を実行している際にパネル部８ａに表示される表示画面の流れの一例を表す図であり、装置本体２の制御回路３０からの信号の流れを図式化して表す図である。なお、ステップＳ１０５におけるカメラユニット７での撮影及びステップＳ２００における画像シール体作成処理にそれぞれ対応する表示画面は省略する。
【０１５９】
図１７において、まず画像シール体Ｓｔの作成直後においては、操作者（この場合一人）に相性診断を今後利用するか否かを選択入力させる表示画面Ｇ１０を表示する（ステップＳ１１０に対応）。ここでパネル部８ａのタッチパネル部分またはキーボード８ｂからの入力で相性診断を利用しない指示が入力された場合、画像シール体販売機１の動作終了を示す表示画面Ｇ１１を表示して数秒後に待機状態画面Ｇ２６（図１９参照）を表示する。
【０１６０】
一方、相性診断を利用する指示が入力された場合、相性要素コードを構成する要素の一つである血液型を選択入力させる表示画面Ｇ１２を表示し、パネル部８ａのタッチパネル部分またはキーボード８ｂからの入力を介して操作者に選択入力させる。その後、この選択入力が正しいか否かを確認する表示画面Ｇ１３を表示し、正しいことが確認できなかった場合には表示画面Ｇ１２へ戻り、一方正しいと確認できた場合には表示画面Ｇ１４を表示する。
【０１６１】
表示画面Ｇ１４では、相性要素コードを構成する要素の一つである干支を操作者に選択入力させ、次にこの選択入力が正しいか否かを確認する表示画面Ｇ１５を表示し、正しいことが確認できなかった場合には表示画面Ｇ１４へ戻り、一方正しいと確認できた場合には表示画面Ｇ１６（図１８参照）を表示する。
【０１６２】
図１８において、表示画面Ｇ１６では、相性要素コードを構成する要素の一つである星座を操作者に選択入力させ、次にこの選択入力が正しいか否かを確認する表示画面Ｇ１７を表示し、正しいことが確認できなかった場合には表示画面Ｇ１６へ戻り、一方正しいと確認できた場合には表示画面Ｇ１８を表示する（以上、表示画面Ｇ１２〜Ｇ１７がステップＳ１１５に対応）。
【０１６３】
相性診断処理中の状態を示す表示画面Ｇ１８を数秒間表示した後は、相性診断結果を出力する表示画面Ｇ１９を表示する。なお、この例では、有料利用時であるため表示画面Ｇ１８に宣伝広告を表示させてない。そしてこの例では、表示画面Ｇ１９で、その日に操作者の相性要素コードに対して相性の相関値が最も高く得られる組み合わせの上位３つの相性要素コードを列記表示し、そのうちのどれかを操作者に選択入力させる。
【０１６４】
次に、図１９において、選択入力させた相性要素コードに対応するニックネームを列記表示する表示画面Ｇ２０を表示する（以上、表示画面Ｇ１９、Ｇ２０がステップＳ１２０の単独相性診断に対応）。また、表示画面Ｇ２０では、操作者にニックネームの登録をするか否か（プロフィールデータをデータベース５０に登録するか否か、または新規作成したタグ付き画像シールＳｔのタグＩＤにユーザＩＤを対応させるか否か）を選択入力させる（ステップＳ１２５に対応）。
【０１６５】
ニックネームの登録をする指示が入力された場合、ニックネームを手動で新規に入力させる表示画面Ｇ２３を表示する（ステップＳ１３５に対応）。ニックネームの入力が終わった際には、それに対応して新規に生成したユーザＩＤとパスワードを表示する表示画面Ｇ２４を表示する（ステップＳ１４０に対応）。
【０１６６】
そして最終的に操作者に無料利用権がある場合には、次に無料利用権が生じていることを示す表示画面Ｇ２５を表示し（ステップＳ１６５に対応）、数秒後に待機状態画面Ｇ２６を表示する。一方、最終的に操作者に無料利用権がない場合には、表示画面Ｇ２４の次にそのまま待機状態画面Ｇ２６を表示する。
【０１６７】
一方、表示画面Ｇ２０で、ニックネームの登録をしない指示が入力された場合、登録済みのユーザＩＤ（プロフィールデータ）を利用するか否かを操作者に選択入力させる表示画面Ｇ２２を表示する（ステップＳ１３０に対応）。
【０１６８】
登録済みのユーザＩＤを利用しない指示が入力された場合、画像シール体販売機１の動作終了を示す表示画面Ｇ２１を表示して数秒後に待機状態画面Ｇ２６を表示する。
【０１６９】
一方、登録済みのユーザＩＤを利用する指示が入力された場合、操作者にユーザＩＤとパスワードを入力させる表示画面Ｇ２７を表示する（ステップＳ１４５に対応）。そして入力されたユーザＩＤがＩＤ管理テーブルに登録されているものであり、かつ、プロフィールテーブルにおいてそのユーザＩＤに対応する正当なパスワードと入力されたパスワードとが一致する場合、プロフィールテーブルの更新及びＩＤ管理テーブルの登録が行われる。
【０１７０】
さらに最終的に操作者に無料利用権がある場合には、次に無料利用権が生じていることを示す表示画面Ｇ２５を表示し、数秒後に待機状態画面Ｇ２６を表示する。一方、最終的に操作者に無料利用権がない場合には、表示画面Ｇ２７の次にそのまま待機状態画面Ｇ２６を表示する。
【０１７１】
一方、上記表示画面Ｇ２７で入力されたユーザＩＤがＩＤ管理テーブルに登録されていなかったり、またはプロフィールテーブルにおいてそのユーザＩＤに対応する正当なパスワードと入力されたパスワードとが一致しない場合には表示画面Ｇ２８でエラーを表示し（ステップＳ１５５に対応）、数秒後に表示画面Ｇ２２を表示して登録済みのユーザＩＤを利用するか否かの選択入力を再度行わせる。
【０１７２】
なお、本実施形態の上記構成において相性要素コードは装置本体２外部に設けたデータベース５０に格納されているプロフィールテーブルだけに記憶されているが、これ限られずに、タグ付き画像シールＳｉに設けられている無線タグ回路素子Ｔoに書き込むようにしてもよい。この場合には、図１３のフローにおけるステップＳ２００の画像シール体作成処理の手順をステップＳ１７５の直前に行うようにし、また図１４のフローに示す画像シール体作成処理におけるステップＳ２２５の手順で、内部アンテナ１４を介しタグＩＤを読み出すとともに相性要素コードを書き込むようにする。また、相性要素コードだけではなく、他にもユーザＩＤやニックネームデータなどを書き込むことも可能である（なおパスワードや無料利用権に関するデータは書き込まないことが好ましい）。
【０１７３】
以上において、図１２のフローにおけるステップＳ５と、ステップＳ５０が、複数の無線タグ回路素子ＴoのＩＣ回路部にそれぞれ記憶された、当該無線タグ回路素子ＴoのタグＩＤ及びこれに対応する相性要素コードを取得する情報取得手段として機能する。
【０１７４】
また、ステップＳ５０は、複数の無線タグ回路素子Ｔoそれぞれに係る相性要素コード相互の照合を行い、それら複数の相性要素コードの相関性を診断する診断手段としても機能し、さらに、診断結果をパネル部８ａで表示するための表示制御信号を生成する表示制御信号生成手段としても機能する。
【０１７５】
また、図１２のフローにおけるステップＳ２０及びステップＳ３５の手順が、前回画像シール体作成後の無料利用有効期限データや料金投入の有無や有料利用回数データのうち少なくともいずれか一つに応じて、図１２のフローにおけるステップＳ５０及び図１３のフローにおけるステップＳ１２０の手順による診断を制限する制限制御手段として機能する。
【０１７６】
また、図１２のフローにおけるステップＳ５０はまた、ステップＳ５の手順で取得した少なくとも１つの情報に対応した、ラッキーアイテムなどの宣伝広告（図１６の表示画面Ｇ７参照）の情報を生成する第１広告情報生成手段としても機能し、相性診断結果に対応した特別な宣伝広告（図１６の表示画面Ｇ９参照）の情報を生成する第２広告情報生成手段としても機能する。
【０１７７】
また、図１４のフローにおけるステップＳ２１０の手順が、図１２のフローにおけるステップＳ５０の手順による相性診断結果を印字するための印字制御信号を生成する印字制御信号生成手段として機能する。
【０１７８】
以上のように構成した本実施形態においては、操作者の外観を撮影するカメラユニット７と、このカメラユニット７で撮影した操作者の画像を印刷しタグ付き画像シールＳｉを作成するための印刷ヘッド１２とを用いて、操作者の撮影画像を備えたタグ付き画像シールＳｉを作成することができる。
【０１７９】
そして、このようにして作成され（但し画像シール体販売機１以外のもので作成されたものであってもよい）、複数の人物がそれぞれ所持するタグ付き画像シールＳｉを画像シール体販売機１の上記外部アクセスエリアＡｅ１，Ａｅ２近傍に提示することで、図１２のフローにおけるステップＳ５、ステップＳ５０でそれらタグ付き画像シールＳｉそれぞれに設けた無線タグ回路素子ＴoのユニークＩＤ及びこれに対応する相性要素コードが取得される。そして、取得された複数の相性要素コード相互の照合が行われることで、複数の人物相互の相性が診断され、上記診断結果に対応した表示がパネル部８ａに表示される。
【０１８０】
このようにして、複数の相性要素コードやその相関性（相性）を用いた種々の情報処理・サービス提供等の活用の可能性が広がることで、操作者側・シール体販売機１の設置者側双方にとって利便性を向上することができる。具体的には、操作者の性別情報、血液型情報、誕生日情報、誕生日に係わる星座情報又は干支情報等の情報に基づき、複数の操作者相互の相性（例えば恋愛相性、夫婦相性、友達相性、ビジネスパートナー相性、上司部下相性、教師生徒相性等）を診断することにより、利用者のニーズに応じた多種多様な診断を行うことができる。なおこの場合、複数の操作者それぞれの性別を参酌し、男性と女性であれば恋愛相性や夫婦相性、女性同士なら友達相性、男性同士ならビジネスパートナー相性のように、適宜に法則性や優先度を設け、自動判別又は手動操作によっていずれの相性を診断するかを決定するようにしてもよい。
【０１８１】
このとき、本実施形態では特に、ステップＳ５０において、複数の相性要素コードの相関を示す相性診断テーブルを格納したデータベース５０にアクセスし、照合対象の複数の相性要素コードに対応した相性の相関値を取得し（図１０参照）、その取得した相性の相関値に基づき診断結果を出力する。このように、診断材料をデータベース５０へのアクセスによって取得する構成とすることにより、データベース５０内に格納された相性診断テーブルを所定間隔で更新するようにすることで、常時最新の診断材料情報によって診断を行うことができる。なお、データベース５０を各画像シール体販売機１にそれぞれ独立して設けるようにしてもよい。
【０１８２】
また、本実施形態では特に、図１２のフローにおけるステップＳ２０及びステップＳ３５において、前回画像シール体Ｓｔ作成後の無料利用有効期限データ（または経過日数）や料金投入の有無や有料利用回数データに応じて今後の診断を制限する。すなわち、所定の有効期間を過ぎると診断ができないようにしたり、有効期限外であっても所定の入金を行ったときに限り診断を許可するようにしたり、有料利用回数データが所定回数や所定頻度に達すると診断ができないようにしたりすることができる。
【０１８３】
このとき特に、複数の操作者それぞれについて、上記無料利用有効期限データ、又は料金投入の有無、若しくは有料利用回数データに応じて、上記の診断の制限を実行することで、複数人の一部が診断許可（又は制限・禁止）条件に該当するのか、全員が該当するのかに応じて、その診断制限態様を変えることも可能である。この場合、さらにきめ細やかなサービス提供等を行うことができる。
【０１８４】
なお、本実施形態においては、図１２のフローに示すステップＳ５０の複数人相性診断において二人の操作者における相性を診断したが、本発明はこれに限られず、例えば三人以上の操作者のグループにおける親密度の相性を診断するようにしてもよい。この場合、外部アンテナを３つ以上設けるか、または一つの外部アンテナで複数のタグＩＤを一度に（または所定時間内に）読み取りできるようにして（もしくは３人以上のユーザＩＤとパスワードを入力できるようにして）、各タグＩＤ（各ユーザＩＤ）に対応する相性要素コード相互の相性を診断するようにすればよい。相関値の算定については、グループ内における全ての二人組の組み合わせにおける相性の相関値の平均値や中央値を採用するなどがある。これにより、３人以上の操作者に係わる相性要素コード相互の相性を診断することができるので、さらに操作者側・設置者側双方にとって利便性を向上することができる。
【０１８５】
また、図１０に示した相性診断テーブルの例では、血液型、干支及び星座の各要素を全て考慮した相性の相関値を記憶したものであるが、これに限られずに、各要素ごとに独立して相性の相関値を記憶する相性診断テーブルを設けてもよく、操作者の好みに応じて各要素に対応する相性診断テーブルを選択し、それだけによる相性診断を行えるようにしてもよい。
【０１８６】
また、図１２のフローに示すステップＳ５０の複数人相性診断の手順や、また図１３のフローに示すステップＳ１２０の単独相性診断の手順においては、いずれもデータベース５０にプロフィールデータを登録した実在の人物（他の操作者）と自己（現操作者）との相性を診断するものであるが、本発明はこれに限られず、例えば幸運の女神などの架空の人物との相性の相関値を記憶する相性診断テーブルを設定することで、操作者１個人のその日の運勢などを診断することができる。
【０１８７】
また、本実施形態では、タグＩＤを記憶する無線タグ回路素子Ｔoを画像シール体販売機１から独立したタグ付き画像シールＳｉに設けた構成としていたが、本発明はこれに限られず、例えば操作者が他の人物に頒布する名刺などに無線タグ回路素子Ｔoを設けてもよいし、また操作者が所有する携帯電話に無線タグ回路素子Ｔoと同等の機能を持たせてタグＩＤやプロフィールデータを記憶させてもよい。
【０１８８】
さらに、操作者が所有する上記携帯電話に本発明の無線タグ読み取り装置と同等の機能を持たせることで、無線タグ回路素子ＴoからタグＩＤやプロフィールデータを読み取ることができるとともに、無線通信を介した一般電話回線を通信ネットワークＮＷとみなして他所に備えてあるデータベース５０と情報を送受することができる。すなわち、本発明の無線タグ情報読み取り装置を個人レベルで携帯して、時間と場所を選ばずにすぐに相性の診断を行うことが可能となる。
【０１８９】
なお、以上は、タグＩＤとして操作者が後に消去不可能な（製造時に固有の）ユニークＩＤを用い、これをタグ付き画像シールＳｉの発行時に高周波回路２１及び内部アンテナ１４を介して無線タグ回路素子Ｔoから読み取り、この読み取られたタグＩＤと操作者のユーザＩＤとを対応付けて上記ＩＤ管理テーブルに記憶させるようにしたが、これに限られない。すなわち、タグＩＤとして、操作者が後に消去可能に設定できる識別情報（通常のタグＩＤ）を用い、これをタグ付き画像シールＳｉの発行時に高周波回路２１及び内部アンテナ１４を介して無線タグ回路素子Ｔoに書き込み、このとき書き込まれたタグＩＤと操作者のユーザＩＤとを対応付けて上記ＩＤ管理テーブルに記憶させるようにしてもよい。
【０１９０】
また、以上既に述べた以外にも、上記実施形態や各変形例による手法を適宜組み合わせて利用しても良い。
【図面の簡単な説明】
【０１９１】
【図１】本発明の一実施形態の画像シール作成装置が適用される画像シール体販売機の外観を表す斜視図である。
【図２】装置本体の詳細構造を表す概念的構成図である。
【図３】カートリッジの詳細構造を説明するための説明図である。
【図４】高周波回路の詳細機能及びその周辺の構成を表す機能ブロック図である。
【図５】無線タグ回路素子の機能的構成を表す機能ブロック図である。
【図６】無線タグ回路素子を備えて印刷が行われハーフカット線において切断が完了して作成された画像シール体の外観の一例を表す上面図及び下面図である。
【図７】データベースに記憶させるプロフィールテーブルの一例を概念的に表す図である。
【図８】相性要素コードのデータ構成を説明する図である。
【図９】相性要素コードの生成の一例を説明する図である。
【図１０】データベースに記憶させる相性診断テーブルの一例を概念的に表す図である。
【図１１】データベースに記憶させるＩＤ管理テーブルの一例を概念的に表す図である。
【図１２】装置本体の制御回路によって実行される制御手順を表すフローチャートである。
【図１３】装置本体の制御回路が図１２中のステップＳ１００において実行する新規作成処理の詳細手順を表すフローチャートである。
【図１４】装置本体の制御回路が図１３中のステップＳ２００において実行する新規作成処理の詳細手順を表すフローチャートである。
【図１５】図１２に示されるフローの制御手順を実行している際にパネル部に表示される表示画面の流れの一例を表す図である。
【図１６】図１２に示されるフローの制御手順を実行している際にパネル部に表示される表示画面の流れの一例を表す図である。
【図１７】図１３に示されるフローの制御手順を実行している際にパネル部に表示される表示画面の流れの一例を表す図である。
【図１８】図１３に示されるフローの制御手順を実行している際にパネル部に表示される表示画面の流れの一例を表す図である。
【図１９】図１３に示されるフローの制御手順を実行している際にパネル部に表示される表示画面の流れの一例を表す図である。
【符号の説明】
【０１９２】
１                画像シール体販売機（無線タグ情報読み取り装置）
２                装置本体
７                カメラユニット（撮影手段）
８                コンソール部
８ａ              パネル部
８ｂ              キーボード
９ａ              外部アンテナ（送受信手段）
９ｂ              外部アンテナ（送受信手段）
１２              印刷ヘッド（画像形成手段）
１３              テープ送りローラ駆動軸
１４              内部アンテナ（送受信手段）
２０              切り換えスイッチ
２１              高周波回路（送受信手段）
２２              信号処理回路
３０              制御回路
５０              データベース
５１              ネットワーク通信制御部
５２              プリンタ駆動回路
５３              プリンタ
１００            カートリッジ
Ｓｉ              タグ付き画像シール
Ｓｔ              画像シール体
Ｓｂ              ブランクシール
Ｐ                操作者画像
ＮＷ              通信ネットワーク
【図１】
2008052614.tif 000003
【図２】
2008052614.tif 000004
【図３】
2008052614.tif 000005
【図４】
2008052614.tif 000006
【図５】
2008052614.tif 000007
【図６】
2008052614.tif 000008
【図７】
2008052614.tif 000009
【図８】
2008052614.tif 000010
【図９】
2008052614.tif 000011
【図１０】
2008052614.tif 000012
【図１１】
2008052614.tif 000013
【図１２】
2008052614.tif 000014
【図１３】
2008052614.tif 000015
【図１４】
2008052614.tif 000016
【図１５】
2008052614.tif 000017
【図１６】
2008052614.tif 000018
【図１７】
2008052614.tif 000019
【図１８】
2008052614.tif 000020
【図１９】
2008052614.tif 000021